(57)【要約】  受信信号における干渉を減らすための方法および装置。受信信号および当該受信信号の１次チャネル推定値（１０４）を用いて正規化ノイズ相関（２１０）が決定される。正規化ノイズ相関（２１０）を用いて条件付き白色化フィルタ設定（２１２）が決定される。条件付き白色化フィルタ設定（２１２）に従って、当該受信信号に白色化フィルタ（２０２）が適用される。更新された受信信号の同期化調整（２０４）が実行される。更新された同期化位置および更新された受信信号を用いて、１次チャネル推定値と同じスパンの２次チャネル推定値（２０６）が決定される。
2007508757.tif 000002
【特許請求の範囲】
【請求項１】
受信信号における干渉を減らすための方法であって、
前記受信信号および前記受信信号の１次チャネル推定値を用いて、正規化ノイズ相関を決定するステップと、
前記正規化ノイズ相関を用いて、条件付き白色化フィルタの設定を決定するステップと、
前記条件付き白色化フィルタ設定に従って白色化フィルタを前記受信信号に適用するステップであって、前記適用ステップにより、更新された受信信号を生成する、ステップと、
前記更新された受信信号の同期化調整を実行するステップであって、前記同期化調整実行ステップにより、更新された同期化位置を生成する、ステップと、
前記更新された同期化位置および更新された受信信号を用いて、２次チャネル推定値を決定するステップと、を含む方法。
【請求項２】
前記受信信号の同期化調整の結果を与えるステップと、
前記結果を用いて前記受信信号の１次チャネル推定値を決定するステップと、を更に含む、請求項１に記載の方法。
【請求項３】
前記受信信号の同期化調整を実行するステップを更に含む、請求項２に記載の方法。
【請求項４】
前記更新された受信信号を平準化してシンボル推定値を生成するステップを更に含む、請求項３に記載の方法。
【請求項５】
前記条件付き白色化フィルタ設定を決定するステップが、正規化ノイズパワーが閾値より大きいとの判定に応答して、第ｎ遅延を越える前記正規化ノイズ相関を抑制するステップを含み、且つ
ｎが非負整数である、請求項１に記載の方法。
【請求項６】
前記条件付き白色化フィルタ設定を決定するステップが、
前記正規化ノイズ相関のゼロ遅延を閾値と比較するステップと、
前記比較ステップの結果に応答して、高次遅延を考慮すべきか否かを決定するステップと、を含む、請求項１に記載の方法。
【請求項７】
前記条件付き白色化フィルタ設定を決定するステップが、
前記正規化ノイズ相関の第１の遅延の絶対値の２乗が第１の閾値より小さい場合、白色化フィルタリングを一切設定しないステップと、
前記正規化ノイズ相関の第１の遅延の絶対値の４乗が第２の閾値より小さい場合、１次白色化フィルタリングを設定するステップと、を含む、請求項１に記載の方法。
【請求項８】
前記条件付き白色化フィルタの設定を決定するステップが、
前記正規化ノイズ相関の絶対値の２乗が前記第１の閾値より小さくなく、且つ前記正規化ノイズ相関の絶対値の４乗が前記第２の閾値より小さくない場合、２次白色化フィルタリングを設定するステップを含む、請求項７に記載の方法。
【請求項９】
前記更新された同期化位置および前記更新された受信信号を用いて前記２次チャネル推定値を決定するステップが、前記１次チャネル推定値と同じスパンの２次チャネル推定値を生成するステップを含む、請求項１に記載の方法。
【請求項１０】
受信信号における干渉を減らすための装置であって、
前記受信信号および前記受信信号の１次チャネル推定値を用いて正規化ノイズ相関を決定する手段と、
前記正規化ノイズ相関を用いて、条件付き白色化フィルタの設定を決定する手段と、
前記条件付き白色化フィルタ設定に従って白色化フィルタを前記受信信号に適用して、更新された受信信号を生成する手段と、
前記更新された受信信号の同期化調整を実行して、更新された同期化位置を生成する手段と、
前記更新された同期化位置および前記更新された受信信号を用いて、２次チャネル推定値を決定する手段と、を含む装置。
【請求項１１】
前記受信信号の同期化調整の結果を与える手段と、
前記結果を用いて前記受信信号の１次チャネル推定値を決定する手段と、を更に含む、請求項１０に記載の装置。
【請求項１２】
前記受信信号の同期化調整を実行する手段を更に含む、請求項１１に記載の装置。
【請求項１３】
前記更新された受信信号を平準化してシンボル推定値を生成する手段を更に含む、請求項１２に記載の装置。
【請求項１４】
前記条件付き白色化フィルタ設定を決定する手段が、正規化ノイズパワーが閾値より大きいとの判定に応答して、第ｎ遅延を越える前記正規化相関を抑制する手段を含み、且つ
ｎが非負整数である、請求項１０に記載の装置。
【請求項１５】
前記条件付き白色化フィルタ設定を決定する手段が、
前記正規化ノイズ相関のゼロ遅延を閾値と比較する手段と、
前記比較の結果に応答して、高次遅延を考慮すべきか否かを決定する手段と、を含む、請求項１０に記載の装置。
【請求項１６】
前記条件付き白色化フィルタ設定を決定する手段が、
前記正規化ノイズ相関の第１の遅延の絶対値の２乗が第１の閾値より小さい場合、白色化フィルタリングを一切設定しない手段と、
前記正規化ノイズ相関の第１の遅延の絶対値の４乗が第２の閾値より小さい場合、１次白色化フィルタリングを設定する手段と、を含む、請求項１０に記載の装置。
【請求項１７】
前記条件付き白色化フィルタの設定を決定する手段が、
前記正規化ノイズ相関の絶対値の２乗が前記第１の閾値より小さくなく、且つ前記正規化ノイズ相関の絶対値の４乗が前記第２の閾値より小さくない場合、２次白色化フィルタリングを設定する手段を含む、請求項１６に記載の装置。
【請求項１８】
前記更新された同期化位置および前記更新された受信信号を用いて２次チャネル推定値を決定する手段が、前記１次チャネル推定値と同じスパンの２次チャネル推定値を生成する手段を含む、請求項１０に記載の装置。
【請求項１９】
前記装置が移動局を含む、請求項１０に記載の装置。
【請求項２０】
前記装置が基地局を含む、請求項１０に記載の装置。
【請求項２１】
前記移動局がＧＳＭと互換性がある、請求項１９に記載の装置。
【請求項２２】
前記基地局がＧＳＭと互換性がある、請求項２０に記載の装置。
【請求項２３】
受信信号における干渉を減らすための製品であって、
少なくとも１個の計算機可読媒体と、
前記少なくとも１個の計算機可読媒体に含まれるプロセッサ命令であって、少なくとも１個のプロセッサにより前記少なくとも１個の計算機可読媒体から読み込み可能に構成され、前記少なくとも１個のプロセッサに、
前記受信信号および前記受信信号の１次チャネル推定値を用いて、正規化ノイズ相関を決定する動作と、
前記正規化ノイズ相関を用いて、条件付き白色化フィルタの設定を決定する動作と、
前記条件付き白色化フィルタ設定に従って白色化フィルタを前記受信信号に適用して、更新された受信信号を生成する動作と、
前記更新された受信信号の同期化調整を実行して、更新された同期化位置を生成する動作と、
前記更新された同期化位置および前記更新された受信信号を用いて、２次チャネル推定値を決定する動作と、を行なわせるように構成されたプロセッサ命令とを含む製品。
【発明の詳細な説明】
【技術分野】
【０００１】
発明の技術分野
本発明は一般に、デジタル通信システムにおける簡素化された白色化フィルタリングに関し、より具体的にはＧＳＭ（Global System of Mobile communications）に従い動作する通信システムにおけるノイズ白色化フィルタリングに関する。
【背景技術】
【０００２】
関連技術の歴史
無線デジタル時分割多重アクセス（ＴＤＭＡ）通信システム、例えば、ＧＳＭ、ＥＧＤＥ（Enhanced Data GSM Evolution）、およびＤＡＭＰＳ（DigitalAdvanced Mobile Service）等で動作するシステムにおける受信器の性能は干渉により制約される場合が多い。例えば、他のユーザーから干渉が来ることもある。隣接するセルで同一の搬送周波数を用いるユーザーにより同一チャネル干渉（ＣＣＩ）が生じる恐れがある一方、隣接する搬送周波数を用いるユーザーにより隣接チャネル干渉（ＡＣＩ）が生じる恐れがある。
【０００３】
ＡＣＩでは、２次隣接チャネルからの干渉は受信機フィルタにより効果的に抑制できるため、通常は１次隣接チャネルからの干渉により支配される。ＣＣＩおよびＡＣＩは通常、有色ノイズとして出現する。ＭＬＳＥ（Maximum-Likelihood Sequence Estimation）に基づく受信器復調器が最適であるのは、白色雑音だけが存在する場合である。従って、有色ノイズは補償されなければ、ＭＬＳＥに基づく受信器イコライザの性能を大幅に低下させる恐れがある。
【０００４】
有色ノイズを白色化する２種の主な方式として、１）暗黙的白色化および２）明示的白色化がある。暗黙的白色化方式は、デシジョンフィードバックを備えたイコライザを用いる場合、いわゆるプリフィルタ（すなわち白色化された整合フィルタ）に白色化機能を組み込んでいる。デシジョンフィードバック・イコライザ（ＤＦＥ）およびデシジョンフィードバック系列推定器（ＤＦＳＥ）は、デシジョンフィードバックの例である。
【０００５】
暗黙的白色化方式は、対応するチャネルのスパンよりも長さがはるかに長いプリフィルタを必要とする。理想的なプリフィルタは、反因果的で（anti-causal）時間無制限であり、近似的にしか実現できない。また、プリフィルタの設定には伝播チャネルのスペクトル分解およびチャネルの最大／位相係数の逆数を求める必要があるため、プリフィルタの設定および処理は計算負荷が高い場合が多い。
【０００６】
図１は、例証的な明示的白色化処理を示す機能ブロック図である。図１において⇒は依存関係を示す。図１に示す変数は以下の通りである。
ｒ  受信信号
ｒ'  更新された受信信号
ｔ  学習系列
ｐ  同期化位置
ｈ｛ｎ｝  ｎタップチャネル推定値
ｈ’｛ｎ＋ｍ｝  ｎ＋ｍタップの更新されたチャネル推定値
Δ  ノイズ相関
ｗ｛ｍ＋ｌ｝  白色化フィルタ係数
ｓ  シンボル推定値
【０００７】
明示的白色化プロセス１００は、同期化ブロック１０２における受信信号ｒのバースト同期化から始まる。受信信号ｒはまた、チャネル推定ブロック１０４、ノイズ相関ブロック１０６、および白色化フィルタブロック１１０へも入力される。同期化ブロック１０２は、同期化位置ｐをチャネル推定ブロック１０４へ出力する。チャネル推定ブロック１０４でｎタップチャネル推定値ｈ｛ｎ｝が計算されてから、ノイズ相関ブロック１０６へ出力される。ノイズ・サンプルの自己相関がノイズ相関ブロック１０６で実行される。ノイズ相関ブロック１０６は、ノイズ相関Δを白色化フィルタ設定ブロック１０８へ出力する。白色化フィルタ設定ブロック１０８により決定された白色化フィルタ設定は、白色化フィルタブロック１１０へ入力される。
【０００８】
白色化フィルタ設定ブロック１０８は、ノイズ相関Δを用いてユール・ウォーカー方程式を解くのに適合されている。白色化フィルタブロック１１０の出力は、更新された受信信号ｒ’である。受信信号ｒ用のチャネルは、長さがｎタップであり、一方、更新された受信信号ｒ'の複合チャネルの長さはｎ＋（ｍ＋１）−１＝ｎ＋ｍタップである。白色化フィルタブロック１１０により出力された更新された受信信号ｒ'は、受信信号ｒと白色化フィルタブロック１１０の白色化フィルタの畳み込みである。
【０００９】
２次チャネル推定が、チャネル推定ブロック１１２で行なわれる。２次チャネル推定は通常、一般化最小２乗（ＧＬＳ）アルゴリズムを介して行なわれ、白色化フィルタブロック１１０に関する知識を利用する。２次チャネル推定は、イコライザ１１４へ入力される複合チャネルに関するより正確な情報を得るために実行される。イコライザ１１４は入力として、チャネル推定ブロック１１２からｎ＋ｍタップの更新されたチャネル推定値ｈ’｛ｎ＋ｍ｝、および白色化フィルタブロック１１０から更新された受信信号ｒ'を受信する。イコライザ１１４はシンボル推定値ｓを出力する。
【００１０】
更新された受信信号ｒ'用の複合チャネルは、受信信号ｒ用のチャネルのタップよりもより多くの数のタップを有する。ＭＬＳＥイコライザ（例えばイコライザ１１４）の複雑さは複合チャネルのスパンより決定される。バイナリ変調、例えばＧＳＭにおけるＧＭＳＫ(Gaussian minimum shift keying)の場合、ビタビ・アルゴリズムを用いるＭＬＳＥイコライザには２ｎ−１の状態があり、ここにｎはチャネルスパンである。プロセス１００を実装するには、完全なＭＬＳＥイコライザは従って２ｎ＋ｍ−ｌの状態を有しなければならない。
【発明の開示】
【発明が解決しようとする課題】
【００１１】
白色化フィルタブロック１１０が２次ＦＩＲフィルタと同程度に短い場合であっても、チャネルスパンの拡張に起因して、イコライザ１１４は依然として４倍複雑とならざるをえない。また、強い隣接チャネル干渉が存在するチャネル条件下では、ユール・ウォーカー方程式を直接解くことは、次数再帰（order recursion）の有無にかかわらず、必ずしも最適でない。それは、ノイズ自己相関、特に遅延が大きい場合の要素が、強いＡＣＩ干渉におけるノイズ推定エラーに起因して正確でないためである。
【課題を解決するための手段】
【００１２】
発明の概要
これら、および他の短所は、簡素化された白色化フィルタリング方法および装置を提供する本発明の実施形態により解決される。本発明の実施形態において、受信信号における干渉を減らすための方法は、受信信号および受信信号の１次チャネル推定値を用いて正規化ノイズ相関（normalized noise correlate）を決定するステップを含んでいる。正規化ノイズ相関を用いて条件付き白色化フィルタ設定を決定する。白色化フィルタは、条件付き白色化フィルタ設定に従い、受信信号に適用される。適用ステップから、更新された受信信号が得られる。更新された受信信号の同期化調整（synchronization adjustment）が実行される。同期化調整を実行するステップから、更新された同期化位置が得られる。更新された同期化位置および更新された受信信号を用いて、２次チャネル推定値が決定される。
【００１３】
本発明の別の実施形態において、受信信号における干渉を減らすための装置は、受信信号および当該受信信号の１次チャネル推定値を用いて正規化ノイズ相関を決定する手段を含んでいる。当該装置はまた、正規化ノイズ相関を用いて追加の白色化フィルタ設定を決定する手段を含んでいる。本装置はまた、条件付き白色化フィルタ設定に従って白色化フィルタを当該受信信号に適用して、更新された受信信号を得る手段を含んでいる。本装置はまた、更新された受信信号の同期化調整を実行して、更新された同期化位置を得る手段を含んでいる。本装置はまた、更新された同期化位置および更新された受信信号を用いて２次チャネル推定値を決定する手段を含んでいる。
【００１４】
本発明の別の実施形態において、受信信号により干渉を減らすための製品は、少なくとも１個の計算機可読媒体、および当該少なくとも１個の計算機可読媒体に含まれるプロセッサ命令を含んでいる。当該プロセッサ命令は、当該少なくとも１個の計算機可読媒体から少なくとも１個のプロセッサにより読み込み可能に構成されていることにより、当該少なくとも１個のプロセッサに、受信信号および当該受信信号の１次チャネル推定値を用いて正規化ノイズ相関を決定させる。当該プロセッサ命令はまた、当該少なくとも１個のプロセッサに、正規化ノイズ相関値を用いて条件付き白色化フィルタ設定を決定させ、条件付き白色化フィルタ設定に従って当該受信信号に白色化フィルタを適用させるべく動作させて、更新された受信信号を得る。プロセッサ命令はまた、当該少なくとも１個のプロセッサに、更新された受信信号の同期化調整を実行させて、更新された同期化位置を得て、更新された同期化および更新された受信信号を用いて、２次チャネル推定値を決定する。
【００１５】
本発明の例証的な実施形態をより完全に理解するのは、添付図面を参照しつつ、本発明の例証的な実施形態に関する以下の詳細説明を参照することにより実現することができる。
【発明を実施するための最良の形態】
【００１６】
発明の例示的な実施形態の詳細な説明
本発明の原理を説明する手助けとして、本装置および方法を、ＧＳＭ移動局を題材にして示す。本発明の範囲を以下に示す例に限定する意図はない。当業者であれば、本発明の原理を他の多くの種類の通信システムにも適用可能である。
【００１７】
図２は、本発明の原理による例証的な明示的白色化プロセスを示す機能ブロック図である。図２において⇒は依存関係を示す。図２に示す変数は以下の通りである。
ｒ  受信信号
ｒ’’  更新された受信信号
ｔ  学習系列
ｐ  同期化位置
ｐ’  更新された同期化位置
ｈ｛ｎ｝  ｎタップのチャネル推定値
ｈ’｛ｎ｝  ｎタップの更新されたチャネル推定値
Δ’  正規化ノイズ相関
ｗ’｛ｍ＋ｌ｝  白色化フィルタ係数
ｓ’  シンボル推定値
【００１８】
明示的白色化プロセス２００は、同期化ブロック１０２における受信信号ｒのバースト同期化から始まる。受信信号ｒはまた、チャネル推定ブロック１０４、正規化ノイズ相関ブロック２１０、および白色化フィルタブロック２０２へも入力される。同期化ブロック１０２は、同期化位置ｐをチャネル推定ブロック１０４へ出力する。チャネル推定ブロック１０４でｎタップのチャネル推定値ｈ｛ｎ｝が計算されてから、正規化ノイズ相関ブロック２１０へ出力される。ノイズ・サンプルの自己相関が正規化ノイズ相関ブロック２１０で実行される。ノイズ相関は、推定されたチャネルタップの総エネルギーの逆数を用いてスケーリングすることにより正規化される。正規化ノイズ相関ブロック２１０は、正規化ノイズ相関Δ’を条件付き白色化フィルタ設定ブロック２１２へ出力する。正規化ノイズ相関Δ’は、搬送波対干渉（carrier-to-interference）（Ｃ／Ｉ）比情報を搬送する。Ｃ／Ｉがあまり大きくない巨大な領域において、２次遅延を越えるノイズ相関Δ’の抑制を用いて、次数再帰および非次数再帰の両方の計算において条件付き白色化フィルタ設定ブロック２１２が実行する計算を簡素化し、ＡＣＩチャネル性能を向上させることができる。ノイズ自己相関における遅延の抑制によりフィルタが短く（すなわちタップが短く）なり、そして、高次フィルタでは行列計算が必要であることから、計算が簡素化される。
【００１９】
条件付き白色化フィルタ設定ブロック２１２は、正規化ノイズ相関ブロック２１０により出力された正規化ノイズ相関Δ’を利用する。推定された正規化ノイズパワーに等しいゼロ遅延をスイッチとして用いて、高次遅れを使用すべきか否か決定することができる。ノイズ・サンプルに相関が無い場合、ノイズは既に白色であり、白色化を必要としない（すなわち白色化フィルタには唯一のタップａ０しかない）。自己相関の大部分が、より遠くのサンプルからではなく、隣接ノイズ・サンプルから生じるか否か決定するテストが実行される。隣接ノイズ・サンプルから生じる場合、１次白色化フィルタで十分である。推定された正規化ノイズパワーに依存して、抑制のオンオフ切り替えを行なうことができる。以下の擬似コード（pseudo-code）は、２次白色化フィルタ用の例証的な次数再帰的な白色化フィルタ設定を示し、これは１個の実係数ａ０＝１および２個の複素係数ａ１およびａ２を有する有限インパルス応答（ＦＩＲ）フィルタである。ηは、スイッチ閾値を、／／はプログラムコードではないコメントを示す。
【数１】
2007508757.tif 000003
【００２０】
条件付き白色化フィルタ設定ブロック２１２により決定された白色化フィルタ設定は、白色化フィルタブロック２０２へ入力される。白色化フィルタブロック２０２の出力は、更新された受信信号ｒ’’である。受信信号ｒは、白色化フィルタ設定に従って白色化フィルタブロック２０２によりフィルタリングされて、更新された受信信号ｒ’’が生成される。同期化調整ブロック２０４は、白色化フィルタブロック２０２の後で同期化位置を調整する。同期化調整ブロック２０４による同期化位置の調整は、図１に関連して図解された複合チャネルスパンの拡張を回避する。同期化調整ブロック２０４は、有色ノイズにおけるエラーを起こしやすい同期化（error-prone synchronization）を調整する機能を果たし、小型の複合チャネル（すなわちｈ'｛ｎ｝）によって受信信号ｒの大部分のエネルギーをカバーすることを可能とし、その配置は白色化フィルタの後段で変更できる。同期化調整ブロック２０４により実行される同期化調整は、同期化ブロック１０２よりも狭い同期化ウインドウを用いる２次同期化と見なすことができる。
【００２１】
同期化調整ブロック２０４による同期化調整の後で、２次ｎタップチャネル推定がチャネル推定ブロック２０６で行なわれる。より一般的なケースは、２次チャネル推定がｌタップであるものであって、ｎ≦ｌ＜ｎ＋ｍである。白色化フィルタを考慮に入れる必要がないため、チャネル推定ブロック２０６による計算効率がより高い最小二乗（computationally-efficient least squares）（ＬＳ）推定で通常は十分である。２次チャネル推定は、イコライザ２０８へ入力される、より正確なチャネル情報を得るために実行される。イコライザ２０８は入力として、チャネル推定ブロック２０６からｎタップの更新されたチャネル推定値ｈ'｛ｎ｝を、また白色化フィルタリングブロック２０２から更新された受信信号ｒ’’を受信する。イコライザは、シンボル推定値ｓ’を出力する。
【００２２】
プロセス２００の結果は、更新された受信信号ｒ’’の複合チャネルのタップ数の拡張にはつながらない。例えばＧＳＭにおけるＧＭＳＫのようなバイナリ変調の場合、ビタビ・アルゴリズムを用いるＭＬＳＥイコライザには２ｎ−1通りの状態があり、ここにｎはチャネルスパンである。プロセス２００を実装するには、完全ＭＬＳＥイコライザは２ｎ−l通りの状態だけがあればよい。このように、状態が少ない、簡素化されたイコライザを用いることができる。
【００２３】
図３は、本発明の原理に従って基地局と通信状態にある例証的なＧＳＭ・ＥＤＧＥ互換移動局を示すブロック図である。移動局３００は、最大３８４ｋｂｉｔ／秒の速度で信頼性の高いデータ通信を行なうことを意図している。移動局３００は、信号処理回路３０６、ベースバンド・コーデック３０８、およびＲＦ回路部分３１０の各部分に分かれる送信器３０２および受信器３０４を含んでいる。
【００２４】
送信方向において、信号処理回路３０６は、送信器３０２からチャネル３１４経由で基地局３１２へ信頼性の高い通信を提供すべく、データを保護する機能を果たす。巡回冗長コード（ＣＲＣ）生成、畳み込み符号化、インターリービング、およびバーストアセンブリを含む、チャネル符号化ブロック３１６で実行されるいくつかのプロセスを用いて、ユーザーデータ３１８を保護する。その結果得られたデータはバーストとしてアセンブルされ、それにより、バーストの中央に追加された学習系列のミッドアンブルに加え（in addition to a training sequencemidamble that is added to the middle of the burst）、保護および後続シンボル（guard and trail symbols）が追加される。ユーザーデータ３１８および通知情報の両方とも、同様の処理を受ける。アセンブルされたバーストは、変調器３２０により変調される。
【００２５】
受信方向において、ベースバンド・コーデック３０８の出力は、復調器３２２を用いて復調される。信号処理回路３０６内のチャネル復号ブロック３２４が実行するいくつかのプロセスが、復調器３２２の復調された出力に適用される。実行されるプロセスには、バーストディスアセンブリ（burst disassembly）、本発明の原理による干渉減少、平準化（equalization）、デインターリーブ（de-interleaving）、畳み込み復号化、およびＣＲＣチェックが含まれる。チャネル復号ブロック３２４が、プロセス２００を通常実行する主体である。しかし、干渉拒否および平準化もまた、復調器３２２の機能とされてよく、その場合、プロセス２００は復調器３２２により実行されるものとしてもよい。
【００２６】
ベースバンド・コーデック３０８は、デジタル／アナログ（Ｄ／Ａ）変換器３２６およびアナログ／デジタル（Ａ／Ｄ）変換器３２８を介して、送受信データをアナログおよびデジタル信号に各々変換する。Ｄ／Ａ変換器３２６は、ＲＦ回路部分３１０の送信器３３０へアナログ・ベースバンドＩおよびＱ信号を提供する。
【００２７】
受信方向において、チャネル３１４経由で基地局３１２へ送信された信号は、受信器回路３３２により受信される。受信器回路３３２から出力されたアナログ信号ＩおよびＱは、Ａ／Ｄ変換器３２８を介してデジタル・データストリームに逆変換される。Ａ／Ｄ変換器３２８からのＩおよびＱデジタル・データストリームは、チャネル復号化ブロック３２４へ入力される前に、復調器３２２によりフィルタリングおよび復調される。信号処理回路３０６が実行するいくつかのプロセスが次いで、復調器３２２の復調された出力に適用される。
【００２８】
移動局３００はまた、例えば、同期化、周波数および時間の取得並びに追跡、監視、受信信号強度の測定等の他の機能を実行する。他の機能として、ユーザー・インターフェースの取り扱い、移動局３００とネットワーク間の信号通知、ＳＩＭインターフェース等が含まれる。本発明の実施形態について移動局を題材に記述してきたが、本発明の原理は例えば基地局等、他の拠点に適用することもできる。
【００２９】
本発明の実施形態は、例えば、集積回路またはチップ・セット、ワイヤレス実装方式、および受信器システム製品等において実装することができる。例えば、コンピュータを運用して、本発明の復調技術を実行すべく適合されたソフトウェアを実行することができる。ソフトウェアは、計算機可読媒体、例えばディスク駆動ユニット内の磁気ディスクに常駐すべく適合されている。計算機可読媒体はまた、フラッシュ・メモリカード、ＥＥＲＯＭを利用したメモリ、バブル・メモリ記憶装置、ＲＯＭ記憶装置等を含んでいてよい。本発明の原理に従い実行すべく適合されたソフトウェアは、その全体または一部が、プロセッサ内（すなわちマイクロコントローラ、マイクロプロセッサ、またはマイクロコンピュータ内蔵メモリ内）の静的または動的な主メモリまたはファームウェアに常駐していてもよい。本発明の原理はまた、集積回路、フィールドプログラム可能ゲートアレイ（ＦＰＧＡ）、チップ・セット、または特定用途向け集積回路（ＡＳＩＣ）、ワイヤレス実装方式、およびその他の通信システム製品における実装にも適用することができる。
【００３０】
本発明の実施形態（群）を添付の図面に例示し、前述の詳細説明で記述してきたが、本発明は、開示した実施形態（群）に限定されず、添付の請求項により規定される本発明の範囲から逸脱することなく、各種の再構成、変更、および代替が可能な点を理解されたい。
【図面の簡単な説明】
【００３１】
図面の簡単な説明
【図１】既述の、例証的な明示的白色化プロセスを示す機能ブロック図である。
【図２】本発明の原理による、例証的な明示的白色化プロセスを示す機能ブロック図である。
【図３】本発明の原理による、基地局と通信状態にある例証的なＧＳＭ・ＥＤＧＥ互換移動局を示す図である。
【図１】
2007508757.tif 000004
【図２】
2007508757.tif 000005
【図３】
2007508757.tif 000006
【国際調査報告】
2007508757.tif 000007
2007508757.tif 000008